(57)【要約】【課題】  携帯端末を用いたポイント的な情報をスキー場などで提供するビジネスモデルで、スキー場の各コースの積雪、雪質の状態及び人の混み具合等の情報に、権利を持った人のみタイムリーにアクセスできるビジネスモデルを提供する。【解決手段】  ユーザ１及びユーザ２は、携帯端末１０１、携帯端末２０１にアクセスキー１０２、アクセスキー２０２を取り付け、情報管理装置３へ通信局７を介しアクセスを行う（ステップＳ３１）。情報管理装置３においては通信部３１３で通信局７との通信を行い、データベース３１０内のＩＤ認証部３１２にて、ユーザ１の有するアクセスキー１０２のＩＤ情報とＩＤ情報３２７との照合が行われ認証される（ステップＳ３２）。認証が不一致の場合はアクセスが拒否される（ステップＳ３３）。その後、携帯端末１０１の画面上で、雪質情報等、入手する各情報を選択する（ステップＳ３４）。【選択図】  図７
2007058405.tif 000002
【特許請求の範囲】
【請求項１】
通信ネットワークを介してそれぞれ接続されている携帯通信端末と、情報管理サーバと、各施設にある通信機器とを含むサービスシステムであって、
前記通信機器は、
前記各施設に設置されたセンサから情報を得る情報取得手段を備え、
前記情報管理サーバは、
前記各通信機器から送信された情報を蓄積する記憶手段と、
前記携帯通信端末から送信されたＩＤ情報を認証する認証手段と、
前記携帯通信端末からの情報提供の要求に従い、前記記憶手段に蓄積された情報を配信する配信手段と、を備えることを特徴とするサービスシステム。
【請求項２】
通信ネットワークを介してそれぞれ接続されている少なくとも２以上の携帯通信端末と、情報管理サーバを含むサービスシステムであって、
前記携帯通信端末は、
ＧＰＳ機能を備えるアクセスキー取り付け手段を備え、
前記情報管理サーバは、
前記携帯通信端末から送信されたＩＤ情報及びＩＤ・Ｇｒ固有番号を認証するＩＤ認証手段と、
前記ＧＰＳ機能から送信された他の携帯通信端末位置情報を蓄積する位置蓄積手段と、
同ＩＤ・Ｇｒ固有番号を有する携帯通信端末のＧＰＳ番号にアクセスし、取得した前記他の携帯通信端末の位置情報を、前記携帯通信端末に送信する送信手段と、を備えることを特徴とするサービスシステム。
【請求項３】
通信ネットワークを介してそれぞれ接続されている携帯通信端末と、情報管理サーバと、各施設にある通信機器とを含むサービスシステムであって、
前記携帯通信端末は、
ＧＰＳ機能を備えるアクセスキー取り付け手段を備え、
前記通信機器は、
前記各施設で使用された前記携帯通信端末のアクセスキーを取得する取得手段と、
前記アクセスキー情報を送信する送信手段と、を備え、
前記情報管理サーバは、
前記各通信機器から送信されたアクセスキーのＩＤ情報を認証する認証手段と、
前記各施設での利用に応じてサービスポイント情報を記録するポイント記録手段と、を備えることを特徴とするサービスシステム。
【請求項４】
各通信機器から送信された情報を蓄積する記憶手段と、
携帯通信端末から送信されたＩＤ情報を認証する認証手段と、
前記携帯通信端末からの情報提供の要求に従い、前記記憶手段に蓄積された情報を配信する配信手段と、を備える情報管理サーバ。
【請求項５】
携帯通信端末から送信されたＩＤ情報及びＩＤ・Ｇｒ固有番号を認証するＩＤ認証手段と、
ＧＰＳ機能から送信された他の携帯通信端末位置情報を蓄積する位置蓄積手段と、
同ＩＤ・Ｇｒ固有番号を有する携帯通信端末のＧＰＳ番号にアクセスし、取得した前記他の携帯通信端末の位置情報を、前記携帯通信端末に送信する送信手段と、を備える情報管理サーバ。
【請求項６】
各通信機器から送信されたアクセスキーのＩＤ情報を認証する認証手段と、
サービスポイント情報を記録する記録手段と、
を備える情報管理サーバ。
【請求項７】
各通信機器から送信された情報を蓄積するステップと、
携帯通信端末から送信されたＩＤ情報を認証するステップと、
前記携帯通信端末からの情報提供の要求に従い、前記記憶部に蓄積された情報を配信するステップと、を備える情報管理方法。
【請求項８】
携帯通信端末から送信されたＩＤ情報及びＩＤ・Ｇｒ固有番号を認証するステップと、
ＧＰＳ機能から送信された他の携帯通信端末位置情報を蓄積するステップと、
同ＩＤ・Ｇｒ固有番号を有する携帯通信端末のＧＰＳ番号にアクセスし、取得した前記他の携帯通信端末の位置情報を、前記携帯通信端末に送信するステップと、を備える情報管理方法。
【請求項９】
各通信機器から送信されたアクセスキーのＩＤ情報を認証するステップと、
サービスポイント情報を記録するステップと、を備える情報管理方法。
【請求項１０】
通信ネットワークを介してそれぞれ接続されている携帯通信端末と、情報管理サーバと、各施設にある通信機器とを含むサービスシステムに用いられるサービスプログラムが記録されたコンピュータにより読取り可能な記録媒体であって、
前記サービスプログラムは、
前記通信機器が、前記各施設に設置されたセンサから情報を得るステップと、
前記情報管理サーバが、前記各通信機器から送信された情報を蓄積するステップと、前記携帯通信端末から送信されたＩＤ情報を認証するステップと、前記携帯通信端末からの情報提供の要求に従い、前記記憶部に蓄積された情報を配信するステップと、から成り、
前記各ステップをコンピュータに実行させるためのプログラムを記録した記録媒体。
【請求項１１】
通信ネットワークを介してそれぞれ接続されている少なくとも２以上の携帯通信端末と、情報管理サーバを含むサービスシステムに用いられるサービスプログラムが記録されたコンピュータにより読取り可能な記録媒体であって、
前記サービスプログラムは、
前記携帯通信端末が、ＧＰＳ機能を備えるアクセスキーを取り付けるステップと、
前記情報管理サーバが、前記携帯通信端末から送信されたＩＤ情報及びＩＤ・Ｇｒ固有番号を認証するステップと、前記ＧＰＳ機能から送信された他の携帯通信端末位置情報を蓄積するステップと、同ＩＤ・Ｇｒ固有番号を有する携帯通信端末のＧＰＳ番号にアクセスし、取得した前記他の携帯通信端末の位置情報を、前記携帯通信端末に送信するステップと、から成り、
前記各ステップをコンピュータに実行させるためのプログラムを記録した記録媒体。
【請求項１２】
通信ネットワークを介してそれぞれ接続されている携帯通信端末と、情報管理サーバと、各施設にある通信機器とを含むサービスシステムに用いられるサービスプログラムが記録されたコンピュータにより読取り可能な記録媒体であって、
前記サービスプログラムは、
前記携帯通信端末が、ＧＰＳ機能を備えるアクセスキーを取り付けるステップと、
前記通信機器が、前記各施設で使用された前記携帯通信端末のアクセスキーを取得するステップと、
前記アクセスキー情報を送信するステップと、
前記情報管理サーバが、前記各通信機器から送信されたアクセスキーのＩＤ情報を認証するステップと、前記各施設での利用に応じてサービスポイント情報を記録するステップと、から成り、
前記各ステップをコンピュータに実行させるためのプログラムを記録した記録媒体。
【請求項１３】
各通信機器から送信された情報を蓄積する処理と、
携帯通信端末から送信されたＩＤ情報を認証する処理と、
前記携帯通信端末からの情報提供の要求に従い、前記記憶部に蓄積された情報を配信する処理と、をコンピュータに実行させる情報管理プログラム。
【請求項１４】
携帯通信端末から送信されたＩＤ情報及びＩＤ・Ｇｒ固有番号を認証する処理と、
ＧＰＳ機能から送信された他の携帯通信端末位置情報を蓄積する処理と、
同ＩＤ・Ｇｒ固有番号を有する携帯通信端末のＧＰＳ番号にアクセスし、取得した前記他の携帯通信端末の位置情報を、前記携帯通信端末に送信する処理と、をコンピュータに実行させる情報管理プログラム。
【請求項１５】
各通信機器から送信されたアクセスキーのＩＤ情報を認証する処理と、
サービスポイント情報を記録する処理と、をコンピュータに実行させる情報管理プログラム。
【請求項１６】
ポイントカードを投入する投入手段と、
ポイント情報を管理するポイント管理手段と、
ユーザが操作し、購入する利用券を指定する操作手段と、
前記利用券に応じた額から前記ポイントカードに記録されたポイント分を差し引き、精算する精算手段と、
前記精算部により算出された精算額の支払いを受ける支払い手段と、
各施設の利用券情報を管理する管理手段と、
未使用のＩＤを検索し、付与するＩＤ付与手段と、
購入した前記利用券の情報と、前記付与部により付与されたＩＤを記録し、アクセスキーを作成するアクセスキー作成管理手段と、を備える情報管理サーバ。
【請求項１７】
前記ＩＤ付与手段は、ＩＤを有するグループごとに固有の番号を付与することを特徴とする請求項７記載の情報管理サーバ。
【請求項１８】
情報管理サーバが、ポイントカードを投入するステップと、
ポイント情報を管理するステップと、
ユーザが操作し、購入する利用券を指定するステップと、
前記利用券に応じた額から前記ポイントカードに記録されたポイント分を差し引き、精算するステップと、
前記精算部により算出された精算額の支払いを受けるステップと、
各施設の利用券情報を管理するステップと、
未使用のＩＤを検索し、付与するステップと、
購入した前記利用券の情報と、前記付与部により付与されたＩＤを記録し、アクセスキーを作成するステップと、を備える情報管理方法。
【請求項１９】
前記未使用のＩＤを検索し、付与するステップは、ＩＤを有するグループごとに固有の番号を付与することを特徴とする請求項１８記載の情報管理方法。
【請求項２０】
情報管理サーバが、ポイントカードを投入する処理と、
ポイント情報を管理する処理と、
ユーザが操作し、購入する利用券を指定する処理と、
前記利用券に応じた額から前記ポイントカードに記録されたポイント分を差し引き、精算する処理と、
前記精算部により算出された精算額の支払いを受ける処理と、
各施設の利用券情報を管理する処理と、
未使用のＩＤを検索し、付与する処理と、
購入した前記利用券の情報と、前記付与部により付与されたＩＤを記録し、アクセスキーを作成する処理と、をコンピュータに実行させる情報管理プログラム。
【請求項２１】
前記未使用のＩＤを検索し、付与する処理は、ＩＤを有するグループごとに固有の番号を付与することを特徴とする請求項２０記載の情報管理プログラム。
【請求項２２】
アクセスキーを投入する投入手段と、
前記アクセスキーのＩＤ情報を認証するＩＤ情報認証手段と、
前記ＩＤに対応する各施設の利用券情報を記憶した記憶手段と、
ポイントカードを投入する投入手段と、
ポイント情報を管理するポイント管理手段と、
前記アクセスキーに記録されているポイント情報を前記ポイントカードに記録するポイント記録手段と、
前記利用券に応じて残高を精算する残高精算手段と、を備える情報管理サーバ。
【発明の詳細な説明】
【技術分野】
【０００１】
本発明は、サービスシステム、情報管理サーバ、情報管理方法、情報管理プログラム及びそれが記録された記録媒体に関し、特に、スキー場の利用者のための情報提供、また、スキー場を有する地域の活性化に貢献するサービスシステム、情報管理サーバ、情報管理方法、情報管理プログラム及びそれが記録された記録媒体に関する。
【背景技術】
【０００２】
従来からスキー人口は増加し、利用者がより快適に過ごせるために様々な技術が提案されている。例えば、ユーザ（スキーヤー等スキー場の利用者）は仲間と離れて行動した場合、携帯端末等で音声による情報伝達を行うが、携帯電話の通話レベルだと仲間の位置が詳しくわからず通話時間が長くかかってしまい、現在位置を知らせることに手間がかかるという事態が生じていた。また、滑走するルートを検討するに際して、どのコースを選べばより快適（リフトの混雑で時間を取られることや、コースが混雑していて滑走が困難であること、アイスバーン等により滑走しにくいこと等が避けられる）に滑走できるか判断するには、様々な情報が必要であった。
【０００３】
ここで、積雪や、雪質、リフト及び飲食店の混雑状況がわからなかったことに対してセンサなどで情報を入手する技術が知られている。例えば、人口密度検出用センサで各エリア毎の混雑情報を取得し、表示盤に表示させるスキー場用混雑表示装置（例えば、特許文献１参照）や、超音波送受信器（雪質の硬度測定）、ＣＣＤカメラ（雪質の粒径）、赤外線温度計・路面水分計（雪質の温度、含水率）を有し、それらの測定結果を電磁波に変換し、発信し、現場の雪質を遠隔地でモニタ確認できる雪質管理装置（例えば、特許文献２参照）が提案されている。
【０００４】
しかし、これらの情報をスキー場の利用者個々が必要な時に入手できる必要があった。
【０００５】
そこで、近年のインターネット及び携帯端末の普及により、離れた場所でも、情報交換、情報共有が可能になり、ＧＰＳ（衛星利用測位システム、全地球測位システム：Global・Positioning・System：グローバル・ポジショニング・システム）等位置情報機能付携帯情報端末の普及により、利用者の現在位置情報の収集が簡単に行えるようになったため、上記の様な情報を、所定の管理範囲に特化した内容の管理範囲内情報として管理する情報管理装置を当該管理範囲内に設置し、各通信局が自己の通信エリア内の携帯端末に情報管理装置の管理する管理範囲内情報のみを的確に提供することができる情報提供システムが提案されている（例えば、特許文献３参照）。
【特許文献１】特開平６−３１９８４２号公報
【特許文献２】特開平８−０２７７５６号公報
【特許文献３】特開２００３−１６７８９６号公報
【発明の開示】
【発明が解決しようとする課題】
【０００６】
しかしながら、誰でも（スキー場外の人でも）情報管理装置が管理する情報にアクセスできるため、不要なアクセスによりスムーズに情報入手ができず、本当に必要な人に対する情報提供が行われていなかった。又、イタズラ目的でアクセスをパンクさせられる可能性があった。更に各施設を利用しても利用数に応じた還元がはっきりとしていなかった。
【０００７】
本発明はこのような状況に鑑みてなされたものであり、係る不具合を解決することを前提とし、携帯端末を用いたポイント的な情報をスキー場などで提供するビジネスモデルで、仲間の位置を容易に検索し、わかりづらい電話での情報交換を省き、スキー場の各コースの積雪、雪質の状態及び人の混み具合、リフトの混み具合、飲食店の混み具合等の情報に、権利を持った人のみタイムリーにアクセスでき、かかる情報を端末画面上に提供することで、利用者すなわちユーザにかかる手間や時間を省き、選択や処理を容易にし、快適にスキーを行えるビジネスモデルを提供することを目的としている。
【課題を解決するための手段】
【０００８】
上記課題を解決するために、本発明は、通信ネットワークを介してそれぞれ接続されている携帯通信端末と、情報管理サーバと、各施設にある通信機器とを含むサービスシステムであって、前記通信機器は、前記各施設に設置されたセンサから情報を得る情報取得手段を備え、前記情報管理サーバは、前記各通信機器から送信された情報を蓄積する記憶手段と、前記携帯通信端末から送信されたＩＤ情報を認証する認証手段と、前記携帯通信端末からの情報提供の要求に従い、前記記憶手段に蓄積された情報を配信する配信手段と、を備えることを特徴とするサービスシステムを提供する。
【０００９】
また、本発明は、通信ネットワークを介してそれぞれ接続されている少なくとも２以上の携帯通信端末と、情報管理サーバを含むサービスシステムであって、前記携帯通信端末は、ＧＰＳ機能を備えるアクセスキー取り付け手段を備え、前記情報管理サーバは、前記携帯通信端末から送信されたＩＤ情報及びＩＤ・Ｇｒ固有番号を認証するＩＤ認証手段と、前記ＧＰＳ機能から送信された他の携帯通信端末位置情報を蓄積する位置蓄積手段と、同ＩＤ・Ｇｒ固有番号を有する携帯通信端末のＧＰＳ番号にアクセスし、取得した前記他の携帯通信端末の位置情報を、前記携帯通信端末に送信する送信手段と、を備えることを特徴とするサービスシステムを提供する。
【００１０】
また、本発明は、通信ネットワークを介してそれぞれ接続されている携帯通信端末と、情報管理サーバと、各施設にある通信機器とを含むサービスシステムであって、前記携帯通信端末は、ＧＰＳ機能を備えるアクセスキー取り付け手段を備え、前記通信機器は、前記各施設で使用された前記携帯通信端末のアクセスキーを取得する取得手段と、前記アクセスキー情報を送信する送信手段と、を備え、前記情報管理サーバは、前記各通信機器から送信されたアクセスキーのＩＤ情報を認証する認証手段と、前記各施設での利用に応じてサービスポイント情報を記録するポイント記録手段と、を備えることを特徴とするサービスシステムを提供する。
【００１１】
また、本発明は、各通信機器から送信された情報を蓄積する記憶手段と、携帯通信端末から送信されたＩＤ情報を認証する認証手段と、前記携帯通信端末からの情報提供の要求に従い、前記記憶手段に蓄積された情報を配信する配信手段と、を備える情報管理サーバを提供する。
【００１２】
また、本発明は、携帯通信端末から送信されたＩＤ情報及びＩＤ・Ｇｒ固有番号を認証するＩＤ認証手段と、ＧＰＳ機能から送信された他の携帯通信端末位置情報を蓄積する位置蓄積手段と、同ＩＤ・Ｇｒ固有番号を有する携帯通信端末のＧＰＳ番号にアクセスし、取得した前記他の携帯通信端末の位置情報を、前記携帯通信端末に送信する送信手段と、を備える情報管理サーバを提供する。
【００１３】
また、本発明は、各通信機器から送信されたアクセスキーのＩＤ情報を認証する認証手段と、サービスポイント情報を記録する記録手段と、を備える情報管理サーバを提供する。
【００１４】
また、本発明は、各通信機器から送信された情報を蓄積するステップと、携帯通信端末から送信されたＩＤ情報を認証するステップと、前記携帯通信端末からの情報提供の要求に従い、前記記憶部に蓄積された情報を配信するステップと、を備える情報管理方法を提供する。
【００１５】
また、本発明は、携帯通信端末から送信されたＩＤ情報及びＩＤ・Ｇｒ固有番号を認証するステップと、ＧＰＳ機能から送信された他の携帯通信端末位置情報を蓄積するステップと、同ＩＤ・Ｇｒ固有番号を有する携帯通信端末のＧＰＳ番号にアクセスし、取得した前記他の携帯通信端末の位置情報を、前記携帯通信端末に送信するステップと、を備える情報管理方法を提供する。
【００１６】
また、本発明は、各通信機器から送信されたアクセスキーのＩＤ情報を認証するステップと、サービスポイント情報を記録するステップと、を備える情報管理方法を提供する。
【００１７】
また、本発明は、通信ネットワークを介してそれぞれ接続されている携帯通信端末と、情報管理サーバと、各施設にある通信機器とを含むサービスシステムに用いられるサービスプログラムが記録されたコンピュータにより読取り可能な記録媒体であって、前記サービスプログラムは、前記通信機器が、前記各施設に設置されたセンサから情報を得るステップと、前記情報管理サーバが、前記各通信機器から送信された情報を蓄積するステップと、前記携帯通信端末から送信されたＩＤ情報を認証するステップと、前記携帯通信端末からの情報提供の要求に従い、前記記憶部に蓄積された情報を配信するステップと、から成り、前記各ステップをコンピュータに実行させるためのプログラムを記録した記録媒体を提供する。
【００１８】
また、本発明は、通信ネットワークを介してそれぞれ接続されている少なくとも２以上の携帯通信端末と、情報管理サーバを含むサービスシステムに用いられるサービスプログラムが記録されたコンピュータにより読取り可能な記録媒体であって、前記サービスプログラムは、前記携帯通信端末が、ＧＰＳ機能を備えるアクセスキーを取り付けるステップと、前記情報管理サーバが、前記携帯通信端末から送信されたＩＤ情報及びＩＤ・Ｇｒ固有番号を認証するステップと、前記ＧＰＳ機能から送信された他の携帯通信端末位置情報を蓄積するステップと、同ＩＤ・Ｇｒ固有番号を有する携帯通信端末のＧＰＳ番号にアクセスし、取得した前記他の携帯通信端末の位置情報を、前記携帯通信端末に送信するステップと、から成り、前記各ステップをコンピュータに実行させるためのプログラムを記録した記録媒体を提供する。
【００１９】
また、本発明は、通信ネットワークを介してそれぞれ接続されている携帯通信端末と、情報管理サーバと、各施設にある通信機器とを含むサービスシステムに用いられるサービスプログラムが記録されたコンピュータにより読取り可能な記録媒体であって、前記サービスプログラムは、前記携帯通信端末が、ＧＰＳ機能を備えるアクセスキーを取り付けるステップと、前記通信機器が、前記各施設で使用された前記携帯通信端末のアクセスキーを取得するステップと、前記アクセスキー情報を送信するステップと、前記情報管理サーバが、前記各通信機器から送信されたアクセスキーのＩＤ情報を認証するステップと、前記各施設での利用に応じてサービスポイント情報を記録するステップと、から成り、前記各ステップをコンピュータに実行させるためのプログラムを記録した記録媒体を提供する。
【００２０】
また、本発明は、各通信機器から送信された情報を蓄積する処理と、携帯通信端末から送信されたＩＤ情報を認証する処理と、前記携帯通信端末からの情報提供の要求に従い、前記記憶部に蓄積された情報を配信する処理と、をコンピュータに実行させる情報管理プログラムを提供する。
【００２１】
また、本発明は、携帯通信端末から送信されたＩＤ情報及びＩＤ・Ｇｒ固有番号を認証する処理と、ＧＰＳ機能から送信された他の携帯通信端末位置情報を蓄積する処理と、同ＩＤ・Ｇｒ固有番号を有する携帯通信端末のＧＰＳ番号にアクセスし、取得した前記他の携帯通信端末の位置情報を、前記携帯通信端末に送信する処理と、をコンピュータに実行させる情報管理プログラムを提供する。
【００２２】
また、本発明は、各通信機器から送信されたアクセスキーのＩＤ情報を認証する処理と、サービスポイント情報を記録する処理と、をコンピュータに実行させる情報管理プログラムを提供する。
【００２３】
また、本発明は、ポイントカードを投入する投入手段と、ポイント情報を管理するポイント管理手段と、ユーザが操作し、購入する利用券を指定する操作手段と、前記利用券に応じた額から前記ポイントカードに記録されたポイント分を差し引き、精算する精算手段と、前記精算部により算出された精算額の支払いを受ける支払い手段と、各施設の利用券情報を管理する管理手段と、未使用のＩＤを検索し、付与するＩＤ付与手段と、購入した前記利用券の情報と、前記付与部により付与されたＩＤを記録し、アクセスキーを作成するアクセスキー作成管理手段と、を備える情報管理サーバを提供する。
【００２４】
また、本発明は、前記ＩＤ付与手段は、ＩＤを有するグループごとに固有の番号を付与することを特徴とする請求項７記載の情報管理サーバを提供する。
【００２５】
また、本発明は、情報管理サーバが、ポイントカードを投入するステップと、ポイント情報を管理するステップと、ユーザが操作し、購入する利用券を指定するステップと、前記利用券に応じた額から前記ポイントカードに記録されたポイント分を差し引き、精算するステップと、前記精算部により算出された精算額の支払いを受けるステップと、各施設の利用券情報を管理するステップと、未使用のＩＤを検索し、付与するステップと、購入した前記利用券の情報と、前記付与部により付与されたＩＤを記録し、アクセスキーを作成するステップと、を備える情報管理方法を提供する。
【００２６】
また、本発明は、前記未使用のＩＤを検索し、付与するステップは、ＩＤを有するグループごとに固有の番号を付与することを特徴とする情報管理方法を提供する。
【００２７】
また、本発明は、情報管理サーバが、ポイントカードを投入する処理と、ポイント情報を管理する処理と、ユーザが操作し、購入する利用券を指定する処理と、前記利用券に応じた額から前記ポイントカードに記録されたポイント分を差し引き、精算する処理と、前記精算部により算出された精算額の支払いを受ける処理と、各施設の利用券情報を管理する処理と、未使用のＩＤを検索し、付与する処理と、購入した前記利用券の情報と、前記付与部により付与されたＩＤを記録し、アクセスキーを作成する処理と、をコンピュータに実行させる情報管理プログラムを提供する。
【００２８】
また、本発明は、前記未使用のＩＤを検索し、付与する処理は、ＩＤを有するグループごとに固有の番号を付与することを特徴とする情報管理プログラムを提供する。
【００２９】
また、本発明は、アクセスキーを投入する投入手段と、前記アクセスキーのＩＤ情報を認証するＩＤ情報認証手段と、前記ＩＤに対応する各施設の利用券情報を記憶した記憶手段と、ポイントカードを投入する投入手段と、ポイント情報を管理するポイント管理手段と、前記アクセスキーに記録されているポイント情報を前記ポイントカードに記録するポイント記録手段と、前記利用券に応じて残高を精算する残高精算手段と、を備える情報管理サーバを提供する。
【発明の効果】
【００３０】
本発明によれば、携帯通信端末画面上で仲間の位置情報を入手できるため、仲間がどこにいるか把握しやすくなり、子供がいる家族等は、はぐれた子供の位置の確認が容易になる。更に怪我や遭難等の緊急時の対応がスムーズになる。又、アクセスキーにGPS通信部能をもたせることで、検索対象のユーザが意識しなくても検索者側がアクセスするだけで位置情報の入手が可能となる。
【発明を実施するための最良の形態】
【００３１】
以下に、本発明の実施形態に係る画像形成装置及び検索方法を、図面を用いて詳細に説明する。なお、以下に述べる実施の形態は、本発明の好適な実施の形態であるから、技術的に好ましい種種の限定が付されているが、本発明の範囲は、以下の説明において特に本発明を限定する旨の記載がない限り、これらの態様に限られるものではない。
【００３２】
図１は、本発明の情報提供システムを実現するビジネスモデルに係る実施形態を説明するための全体構成図である。サービスの利用者であるユーザ１、ユーザ２、サービスの拠点となる情報管理装置３、ゲレンデコース４、リフト乗り場５、飲食施設６が、携帯端末１０１、携帯端末２０１と情報管理装置３のインタフェースを行う通信局７（ここでは、交換機も含めた通信システムの総称とする。）から構成される。本実施形態に係る通信会社８は、通信局７を管理し、通信機器や無線機器、サービス提供の課金についてソリューションし、通信システムを提供する。本実施形態では、仲間の位置情報も扱うため、ユーザは複数としている。
【００３３】
ユーザ１及びユーザ２は、サービスの実行手段として用いる携帯端末１０１、携帯端末２０１、サービスを受けるために必要なGPS通信部能内蔵のアクセスキー１０２、アクセスキー２０２を有している。ゲレンデコース４は、コースのあらゆる箇所に設置され温度、水分の単位あたりの含有率などの情報から積雪、雪質状態を検知するセンサ４０１、それを情報管理装置３に通知するための手段である通信機器４０３、コースのあらゆる箇所に設置され、滑走する人の体温情報と平均速度を２拠点間で検知し、区間における人の密度をコース面積から分母に算出するセンサ４０２、それを情報管理装置に通知するための手段である通信機器４０４から構成されている。リフト乗り場５は、ゲレンデにあるリフト乗り場において並んでいる人の列の距離を検知しリフト乗り場の面積及び、リフトの乗員可能数から混雑度を算出するセンサ５０１、それを情報管理装置に通知するための手段である通信機器５０２、リフト券確認装置５０３から構成されている。飲食施設６は、飲食施設におけるテーブルの座席状況を検知し、座席数とカウンターでの注文状況から混雑度を算出するセンサ６０１、それを情報管理装置に通知するための手段である通信機器６０２、レジ６０３から構成されている。
【００３４】
上記実施形態においては、通信は無線により行われる。これにより、無線局を介してのサービスなので、通信会社にとっても利用数が増え、効果的である。
【００３５】
図２は、本発明の実施形態に係る各ポイント地のインフォメーションを取得・整理・管理する情報管理装置３の構成を説明するための図である。操作部３０１、ポイントカード投入口３０２、ポイント管理部３０３、精算部３０４、リフト券売管理部３０５、飲食券売管理部３０６、現金投入・返却口３０７、ＩＤ付与部３０８、アクセスキー作成管理部３０９、データベース３１０、アクセスキー投入口３１１、ＩＤ認証部３１２、通信部３１３から構成されている。なお、現金投入・返却口３０７とは、本実施形態の場合であり、支払いは現金に限定されず、他にもクレジットカードの利用も可能であり、利便性がある。
【００３６】
操作部３０１は、ユーザ１、ユーザ２が操作する箇所であり、ポイントカード投入口３０２はユーザ１、ユーザ２が持つポイントカードの投入・返却口であり、ポイント管理部３０３は、ユーザ１、ユーザ２のサービス利用に応じたポイントを管理し、ポイント使用時にはポイントカード投入口３０２から投入されたポイントカードの情報から飲食券やリフト券の割引を行う。また清算時には利用したサービスのポイントをポイントカードに記録し、ポイントカード投入口３０２よりユーザ１、ユーザ２にポイントカードを返却する。
【００３７】
精算部３０４は各サービス等を使用するにあたりユーザ１、ユーザ２への清算金額を管理する。リフト券売管理部３０５は操作部３０１でユーザ１、ユーザ２が購入したい券種を管理し、必要金額を精算部３０４に情報通知する。飲食券売管理部３０６は操作部３０１でユーザ１、ユーザ２が購入する飲食券を管理し、必要金額を精算部３０４に情報通知する。現金投入・返却口３０７はユーザ１、ユーザ２が施設やサービスを利用するにあたり支払う現金及びおつり等の投入・返却口である。ＩＤ付与部３０８は精算部３０４からの支払いの情報をもとにＩＤの付与（個人・グループ単位）を行う。
【００３８】
アクセスキー作成管理部３０９は、リフト券売管理部３０５での購入情報、飲食券売管理部３０６での購入情報、ＩＤ付与部３０８で付与されたＩＤ番号をアクセスキーに記録しアクセスキーの作成を行う。データベース３１０は、アクセスキーに記録された情報及び現在使用されているＩＤ番号の管理、アクセスキーに記録されたポイント情報を記憶し、必要に応じてポイント管理部３０３に情報を伝達する。又飲食券の残高情報を精算部３０４に与える。アクセスキー投入口３１１は、ユーザ１、ユーザ２がサービス利用後、清算するためにアクセスキーを投入するインタフェースである。ＩＤ認証部部３１２はアクセスキーのＩＤを認証し、データベース上に管理されているＩＤと一致しているか認証を行う箇所で、ＩＤが一致しない場合にはデータベースへのアクセスはできない。
【００３９】
通信部３１３は各施設の通信機器（通信機器４０３、通信機器４０４、通信機器５０２、通信機器６０２）及び携帯端末１０１、携帯端末２０１の通信の中継を行う通信局７との無線による通信を行う。通信部３１３は、専用の通信機器であり、通信局７は、一般的な無線基地局や交換局である。
【００４０】
図３は、本発明の実施形態に係るデータベース３１０の詳細を示す図である。雪質情報のデータを管理する雪質情報３２１、ゲレンデの混雑情報を管理するゲレンデ混雑情報３２２、リフト乗り場における混雑情報を管理するリフト乗り場混雑情報３２３、飲食店や飲食施設の混雑情報を管理する飲食店混雑情報３２４、同ＩＤグループの位置情報を管理するユーザ位置情報３２５、ユーザに発行したＩＤ番号やリフト券、飲食券の利用情報、加算されたポイント情報などのアクセスキーの情報を管理するアクセスキー管理３２６、ユーザと関連付けられた使用中のＩＤ番号と未使用のＩＤ番号情報を管理するＩＤ情報３２７、ユーザが購入したリフト券や飲食券の情報を管理するリフト券/飲食券情報３２８、ユーザが獲得したサービスポイントを管理するサービスポイント情報３２９から構成される。
【００４１】
次に、上記構成（図１、２）を参照し、本発明の実施形態に係る情報提供システムの動作手順について、フローチャート図４乃至図１１を用いて説明する。すなわち、図４乃至図１１は、ユーザが各情報を入手する処理手順を示しており、各実施形態の動作について、以下に説明を行う。まず図４で前提処理について説明し、そのあと図５乃至図１１でサービス利用に対する処理について説明を行う。
【００４２】
図４は、本発明の実施形態に係る情報提供システムにおいて、各情報をユーザに提供する場合の、前提に行われる処理の流れを示すフローチャートである。ゲレンデコース４のセンサ４０１、ゲレンデコース４のセンサ、４０２リフト乗り場５のセンサ５０１、飲食施設６のセンサ６０１の各センサは、それぞれゲレンデの雪質状態及び積雪状態、ゲレンデの混雑状態、リフト乗り場の混雑状態、飲食施設や飲食店の混雑状態、を検出し（ステップＳ１０１からステップＳ１０４）、検知した情報は通信機器４０３を介して定期的に情報管理装置３へ通知される（ステップＳ１０５）。各情報は情報管理装置３内のデータベースの（ステップＳ１０６）、雪質情報３２１、ゲレンデ混雑情報３２２、リフト乗り場混雑情報３２３、飲食店混雑情報３２４、にアップロードされる（ステップＳ１０７からＳ２００）。
【００４３】
図５は、図２記載の情報管理装置３において、ポイントカードを使用し、飲食券やリフト券を購入する際の処理手順を説明するフローチャートである。情報管理装置においてユーザ１、ユーザ２はポイントカードの使用を選択する（ステップＳ１）。ステップＳ１においてポイントカードの使用を選択した場合（ステップＳ１／ＹＥＳ）、ポイントカード投入口３０２よりポイントカードの投入を行う（ステップＳ２）。ポイント管理部３０３においてポイントカードに記録されたポイント情報を読み取り（ステップＳ３）、精算部３０４にポイント情報を反映させる（ステップＳ４）。ポイント読取り、精算部への反映処理が完了した場合（ステップＳ３、４）、またはポイントカードの使用を選択しなかった場合（ステップＳ１／ＮＯ）は、ユーザ１及びユーザ２は操作部３０１において操作を行う（ステップＳ５）。操作部３０１上で飲食券購入の有無の選択を行う（ステップＳ６）。飲食券購入を選択すると（ステップＳ６／ＹＥＳ）、飲食券を購入し（ステップＳ７）、飲食券売管理部３０６においてかかる飲食券購入金額が精算部３０４に反映される（ステップＳ８）。飲食券購入の処理が完了した場合（ステップＳ６、７）、又は飲食券購入を選択しなかった場合（ステップＳ６／ＮＯ）、リフト券購入が行われ（ステップＳ９）、リフト券売管理部３０５においてリフト券購入金額が精算部３０４に反映される（ステップＳ１０）。精算部３０４において飲食券購入金額、リフト券購入金額の精算及びポイントによる割引を差し引いた金額を算出し表示する（ステップＳ１１）。ユーザ１及びユーザ２は、表示された金額の現金を現金投入・返却口３０７投入する（ステップＳ１２）。精算部３０４にて清算金額に対する投入金の処理を行い、お釣りがあれば、現金投入・返却口３０７より差額の金額が返却される（ステップＳ１３）。
【００４４】
図６は、図２記載の情報管理装置３において、精算した際の精算情報を基にアクセスキーへ情報を記録し、発行する際の処理手順を説明するフローチャートである。清算情報は、精算部３０４から、飲食券売管理３０５、リフト券売管理部３０６、ＩＤ付与部３０８に伝達される（ステップＳ１４、Ｓ１５、Ｓ１６、Ｓ１７）。飲食券売管理部３０５及びリフト券売管理部３０５では、かかる清算情報をもとにして飲食券及びリフト券情報を作成し（ステップＳ１８、Ｓ１９）、アクセスキー作成管理部３０９に伝達する（ステップＳ２２）。ＩＤ付与部３０８では、未使用のＩＤを、データベース３１０のＩＤ情報３２７から検索する（ステップＳ２０）。ＩＤ付与部３０８にて未使用のＩＤを選択し、かかる未使用ＩＤの情報（ステップＳ２０）を、アクセスキー作成管理部３０９に伝達し（ステップＳ２２）、また、データベース３１０のＩＤ情報３２７に保存する（ステップＳ２３）。更に、ＩＤ付与部では、アクセスキーに内蔵しているＧＰＳ通信部能に対してＩＤ・Ｇｒ（group）固有の番号を付与し（ステップＳ２１）、データベース３１０のＩＤ情報３２７に保存する（ステップＳ２３）。また、アクセスキー作成管理部３０９に伝達する（ステップＳ２２）。
アクセスキー作成管理部３０９では、アクセスキー１０２、アクセスキー２０２にＩＤ付与部３０８で選択されたＩＤ及びＧＰＳ通信用の固有番号を記録する（ステップＳ２４）。飲食券の購入の確認が行われる（ステップＳ２５）。飲食券購入が確認されれば（ステップＳ２５／Ｙｅｓ）、飲食券売管理３０５から伝達された飲食券情報をアクセスキー１０２、アクセスキー２０２に記録する（ステップＳ２６）。飲食券情報の記録が完了もしくは飲食券の購入がなかった場合（ステップＳ２５／Ｎｏ）、リフト券売管理部３０６から伝達されたリフト券情報をアクセスキー１０２、アクセスキー２０２に記録する（ステップＳ２７）。作成されたアクセスキー１０２、アクセスキー２０２の情報は、データベース３１０のアクセスキー情報３２６に保存され、リフト券及び飲食券の購入情報は、ＩＤ付与されたアクセスキー１０２、アクセスキー２０２の情報に対応し、アクセスキーごとにデータベース３１０内のリフト券/飲食券情報３２８に保存される（ステップＳ２８）。すなわち、「リフト券／食事券情報」は、アクセスキーとデータベースに保存される。アクセスキー投入口からアクセスキー１０２、アクセスキー２０２が出力される（ステップＳ２９）。アクセスキーは、例えば、カード等に入力されることや、携帯端末内のメモリに入力されることが考え得るが、これらに限定するものではない。
【００４５】
図７は、本発明の実施形態に係るアクセスキーを用いて各ユーザが携帯端末で情報を入手する際の処理手順を説明するフローチャートである。ユーザ１及びユーザ２は、携帯端末１０１、携帯端末２０１にアクセスキー１０２、アクセスキー２０２を取り付ける（ステップＳ３０）。ユーザ１は、情報管理装置３へ通信局７を介しアクセスを行う（ステップＳ３１）。情報管理装置３においては通信部３１３で通信局７との通信を行い、データベース３１０内のＩＤ認証部３１２にて、ユーザ１の有するアクセスキー１０２のＩＤ情報とＩＤ情報３２７との照合が行われ認証される（ステップＳ３２）。認証が不一致の場合はアクセスが拒否される（ステップＳ３３）。携帯端末１０１の画面上で、雪質情報の入手を行うか選択する（ステップＳ３４）。雪質情報の入手を選択するとデータベース３１０から雪質情報３２１を入手する（ステップＳ３５）。引き続き情報の入手を行うか選択する（ステップＳ３６）。引き続き情報の入手を行う場合は（ステップＳ３６／Ｙｅｓ）、ステップＳ３４へもどり再び情報入手の選択を行う。引き続き情報の入手を行わない場合は（ステップＳ３６／Ｎｏ）、情報入手は終了となる。ステップＳ３４の段階で雪質情報の入手の選択を行わなかった場合（ステップＳ３４／Ｎｏ）、ゲレンデ混雑情報の入手を行うかの選択を行う（ステップＳ３７）。ゲレンデの混雑状態の情報入手を選択すると（ステップＳ３７／Ｙｅｓ）、データベース３１０からゲレンデ混雑情報３２２を入手する（ステップＳ３８）。引き続き情報の入手を行うか選択する（ステップＳ３６）。引き続き情報の入手を行う場合は（ステップＳ３６／Ｙｅｓ）、ステップＳ３４へもどり再び情報入手の選択を行う。引き続き情報の入手を行わない場合は（ステップＳ３６／Ｎｏ）、情報入手は終了となる。ゲレンデ混雑情報の入手の選択を行わなかった場合（ステップＳ３７／Ｎｏ）、リフト乗り場混雑情報の入手を行うかの選択を行う（ステップＳ３９）。リフト乗り場混雑状態の情報の入手を選択すると（ステップＳ３９／Ｙｅｓ）、データベース３１０からリフト乗り場混雑情報３２３を入手する（ステップＳ４０）。引き続き情報の入手を行うか選択する（ステップＳ３６）。引き続き情報の入手を行う場合は（ステップＳ３６／Ｙｅｓ）、ステップ３４へもどり再び情報入手の選択を行う。引き続き情報の入手を行わない場合は（ステップＳ３６／Ｎｏ）、情報入手は終了となる。リフト乗り場混雑情報の入手の選択を行わなかった場合（ステップＳ３９／Ｎｏ）、飲食店場混雑情報の入手を行うかの選択を行う（ステップＳ４１）。飲食店混雑状態の情報の入手を選択すると（ステップＳ４１／Ｙｅｓ）、データベース３１０から飲食店混雑情報３２４を入手する（ステップＳ４２）。引き続き情報の入手を行うか選択する（ステップＳ３６）。引き続き情報の入手を行う場合は（ステップＳ３６／Ｙｅｓ）、ステップ２４へもどり再び情報入手の選択を行う。引き続き情報の入手を行わない場合は（ステップＳ３６／Ｎｏ）、情報入手は終了となる。飲食店混雑情報の入手の選択を行わなかった場合（ステップＳ４１／Ｎｏ）、仲間の位置情報の入手を行うかの選択を行う（ステップＳ４３）。仲間の位置情報の入手を選択すると（ステップＳ４３／Ｙｅｓ）、データベース３１０から仲間の位置情報を入手する（ステップＳ４４）。引き続き情報の入手を行うか選択する（ステップＳ３６）。引き続き情報の入手を行う場合は（ステップＳ３６／Ｙｅｓ）、ステップ３４へもどり再び情報入手の選択を行う。引き続き情報の入手を行わない場合は（ステップＳ３６／Ｎｏ）、情報入手は終了となる。情報入手が終了する場合は、ユーザ１、２は通信局７を介して行ったパケット料金のみ通信会社８より請求される（ステップＳ４５）。
【００４６】
上記実施形態により、携帯端末画面上での仲間の位置情報入手でき、仲間がどこにいるか把握しやすくなる。子供がいる家族等は、はぐれた子供の位置の確認が容易になる。更に、怪我や遭難等の緊急時の対応がスムーズになる。又、アクセスキーにGPS通信部能をもたせることで、検索対象のユーザが意識しなくても検索者は位置情報の入手が可能となる。
【００４７】
その他、上記実施形態により、アクセスキーによるＩＤ認証を行い、不要なアクセスを排除することで、携帯端末画面からリフト乗り場、飲食店の混雑情報や、積雪、雪質状態のコース滑走状況等の入手がスムーズとなる。
【００４８】
図８は、本発明の実施形態に係るアクセスキーを用いて各ユーザが携帯端末で情報を入手する際の処理手順を説明するフローチャートである。図８を用いて、上記図７ステップＳ４４で仲間の位置情報を入手する際の情報管理装置と携帯端末の処理について説明する。情報管理装置３において、データベース３１０のＩＤ情報３２７を基に、同Ｇｒ・ＩＤ固有番号を持つユーザを検出し、図６ステップＳ２２で記録した番号に対し、通信部３１３から通信局７を介して自動的に発呼し、対象者のアクセスキーに内蔵されたＧＰＳ通信部能の番号にアクセスして位置を検索する（ステップＳ５０）。データベース３１０へ、判明した同Ｇｒ・ＩＤを持つユーザ位置情報３２５を保存する（ステップＳ５１）。同Ｇｒ・ＩＤを持つユーザ位置情報３２５をデータベース３１０においてまとめる（ステップＳ５２）。通信局７を介して、要求ユーザに対しデータベース３１０でまとめた情報を基に作成したユーザ位置情報３２５を提供する。
【００４９】
図９は、本発明の実施形態に係るアクセスキーを用いて各ユーザがリフトを使用する際の処理手順を説明するフローチャートである。アクセスキーを利用したリフト使用を行うかの選択を行う（ステップＳ５５）。アクセスキーを利用しない場合は（ステップＳ５５／Ｎｏ）、終了となる。リフト乗り場５のリフト券確認５１３でアクセスキー１０２又はアクセスキー２０２を照合する（ステップＳ５６）。情報管理装置３の通信部３１３で、通信機器５０２との通信を行い、ＩＤ認証部３１２にて、アクセスキー１０２又はアクセスキー２０２のＩＤ情報とデータベース３１０のＩＤ情報３２７との照合が行われる（ステップＳ５７）。認証がＯＫであれば処理が継続される（ステップＳ５８／Ｙｅｓ）。不一致の場合はアクセスが拒否される（ステップＳ５８／Ｎｏ）。データベース３１０のリフト券/飲食券情報３２８でリフト券の情報の確認を行う（ステップＳ５９）。リフト券の残利用回数の確認が行われる（ステップＳ６０）。このとき利用回数の条件を満たしていない場合は（ステップＳ６０／Ｎｏ）、利用ができないため終了となる。残利用回数が問題なければ（ステップＳ６０／Ｙｅｓ）、サービスポイントを加算し（ステップＳ６１）、通信部３１３よりサービスポイント情報と利用許可情報を通信機器５０２に送り、リフト券確認５０３に反映させる。ユーザ１又は、ユーザ２はリフト券確認５０３よりアクセスキー１０２又はアクセスキー２０２に加算されたポイント情報を記録し、更にリフト使用の許可を得る（ステップＳ６２）。
【００５０】
図１０は、本発明の実施形態に係るアクセスキーを用いて各ユーザが飲食店にて飲食券を使用する際の処理手順を説明するフローチャートである。飲食券を利用する選択を行う（ステップＳ６５）。利用しない場合は（ステップＳ６５／Ｎｏ）終了となる。飲食施設６のレジ６０３でアクセスキー１０２又はアクセスキー２０２を照合する（ステップＳ６６）。情報管理装置３通信部３１３で通信機器６０２との通信を行い、ＩＤ認証部３１２にて、アクセスキー１０２又はアクセスキー２０２のＩＤ情報とデータベース３１０のＩＤ情報３２７との照合が行われる（ステップＳ６７）。認証がＯＫであれば（ステップＳ６８／Ｙｅｓ）、処理が継続される。不一致の場合は（ステップＳ６８／Ｎｏ）アクセスが拒否される。データベース３１０のリフト券/飲食券情報３２８で飲食券の情報の確認を行う（ステップＳ６９）。飲食する品物の代金を入力する（ステップＳ７０）。購入した飲食券の利用可能金額と飲食する品物の代金との比較が行われ、残金額が問題ないか検証する（ステップＳ７１）。飲食券の利用可能金額が、飲食の代金より上回っている場合（ステップＳ７１／Ｙｅｓ）、飲食券での支払いを行う処理が行われる（ステップＳ７２）。飲食券の利用金額と飲食代金の差額よりお釣りが発生するか確認される（ステップＳ７３）。お釣りがある場合は（ステップＳ７３／Ｙｅｓ）、レジ６０３にてアクセスキーに飲食券を利用した分のサービスポイントと残高情報を記録し（ステップＳ７４）、飲食利用可能となる（ステップＳ７９）。お釣りがない場合は（ステップＳ７３／Ｎｏ）、レジ６０３にてアクセスキー１０２又はアクセスキー２０２に飲食券を利用した分のサービスポイントを記録し（ステップＳ７５）、飲食利用可能となる（ステップＳ７９）。一方、ステップ７１の比較で、飲食券の利用可能金額が、飲食の代金より下回っている場合（ステップＳ７１／Ｎｏ）、追加金額を支払うかどうかの選択を行う（ステップＳ７６）。支払わない場合は（ステップＳ７６／Ｎｏ）、処理が終了となる。支払う場合は（ステップＳ７６／Ｙｅｓ）、処理が続けられる。飲食券を使用し（ステップＳ７７）、追加分の現金支払いを行う（ステップＳ７８）。レジ６０３にてアクセスキー１０２又はアクセスキー２０２に飲食券を利用した分のサービスポイントを記録し（ステップＳ７５）、飲食利用可能となる（ステップＳ７９）。
【００５１】
図１１は、本発明の実施形態に係るアクセスキーを用いて各ユーザがポイントカードにポイントを記録する際の処理手順を説明するフローチャートである。なお、本実施形態に係るポイントカードは、媒体の一種であり、携帯端末内のメモリ等他の媒体も考え得る。
ユーザ１、ユーザ２は情報管理装置３において、操作部３０１よりアクセスキー１０２又はアクセスキー２０２の返却を選択する（ステップＳ８０）。ユーザ１及びユーザ２はアクセスキー返却口にアクセスキー１０２又はアクセスキー２０２を投入する（ステップＳ８１）。ＩＤ認証部３１２でアクセスキー１０２又はアクセスキー２０２のＩＤ情報とアクセスキー情報が抽出され、抽出したアクセスキー情報及びＩＤ情報とデータベースのアクセスキー情報３２６と、ＩＤ情報３２７との照合が行われる（ステップＳ８２）。認証が不一致であれば（ステップＳ８３／Ｎｏ）、処理は終了となりアクセスキー返却口よりアクセスキー１０２又はアクセスキー２０２が返却される。認証が一致した場合（ステップＳ８３／Ｙｅｓ）、データベース３１０へのアクセスが行われる（ステップＳ８４）。アクセスキー１０２又はアクセスキー２０２より飲食券の残高情報、サービスポイント情報が抽出されデータベース３１０のリフト券/飲食券情報３２８及び、サービスポイント情報３２９に記録される（ステップＳ８５）。サービスポイントがあるかユーザ１、ユーザ２に対して情報を出す（ステップＳ８６）。加算されるポイントがあれば（ステップＳ８６／Ｙｅｓ）、ポイントカード投入をユーザ１、ユーザ２促す（ステップＳ８７）。ユーザ１、ユーザ２はポイントカードの使用するか選択する（ステップＳ８８）。ポイントカードの使用を選択した場合（ステップＳ８８／Ｙｅｓ）、ユーザ１、ユーザ２はポイントカードをポイントカード投入口３０２に投入する（ステップＳ８９）。ポイント管理部３０３にて、データベース３１０のサービスポイント情報３２９のポイント情報をポイントカードに記録する（ステップＳ９０）。ポイント記録後、ポイントカード投入口３０２からポイントカードを返却する（ステップＳ９１）。ステップＳ９１の処理が完了又は、ステップＳ８６でポイントがなかった場合、更にステップＳ８８にてポイントカードが使用されなかった場合、飲食券の残高があるか確認が行われ（ステップＳ９２）、なければ処理が終了し、飲食券の残高が確認されれば（ステップＳ９２／Ｙｅｓ）、データベース３１０のリフト券/飲食券情報３２８から飲食券の残高情報が精算部３０４に反映され、現金投入・返却口より残高分が支払いされる（ステップＳ９３）。支払いが終わると処理が終了となる。
【００５２】
上記実施形態により、施設の利用数及び利用するのに費やした金額に応じたポイントを加算し、利用するため、利用者の利用頻度に応じたサービスを提供することが可能であり、利用者にとっては有益な上、スキー場としてもポイントによるサービスで利用客の確保が見込める。また、本実施形態に係るアクセスキーは、あるフィールド内を限定しているため、返却を基本としているが、フィールド内で受けたサービスに基づくポイントをポイントカードに記録することにより、次回の利用に生かすことが出来る。異なるフィールドで同様のサービスが行われている場合は、そこでもポイントを貯めたり、ポイントによるサービスを受けたりすることが可能になる。
【００５３】
なお、本発明の他の実施形態として、サービスポイントの加算・適用範囲は、飲食券やリフト券購入に限られず、スキー場内の売店や、隣接宿泊施設、入浴施設等の周辺のスキー場まで広げることも考え得る。これにより、地域的な利用客の増加につながり、また、利用者にとってはサービスを受ける範囲が広がるため有益である。
【００５４】
また、本発明の他の実施形態として上記実施形態の処理手順をプログラムとして記録媒体に記録して提供することも考え得る。
【００５５】
以上、本発明者によってなされた発明を好適な実施の形態に基づき具体的に説明したが、本発明は上記のものに限定されるものではなく、その要旨を逸脱しない範囲で種種変更可能であることは言うまでもない。
【図面の簡単な説明】
【００５６】
【図１】本発明の情報提供システムを実現するビジネスモデルに係る実施形態を説明するための全体構成図である。
【図２】本発明の実施形態に係る各ポイント地のインフォメーションを取得・整理・管理する情報管理装置３の構成を説明するための図である。
【図３】本発明の実施形態に係るデータベース３１０の詳細を示す図である。
【図４】本発明の実施形態に係る情報提供システムにおいて、各情報をユーザに提供する場合の、前提に行われる処理の流れを示すフローチャートである。
【図５】図２記載の情報管理装置３において、ポイントカードを使用し、飲食券やリフト券を購入する際の処理手順を説明するフローチャートである。
【図６】図２記載の情報管理装置３において、精算した際の精算情報を基にアクセスキーへ情報を記録し、発行する際の処理手順を説明するフローチャートである。
【図７】本発明の実施形態に係るアクセスキーを用いて各ユーザが携帯端末で情報を入手する際の処理手順を説明するフローチャートである。
【図８】本発明の実施形態に係るアクセスキーを用いて各ユーザが携帯端末で情報を入手する際の処理手順を説明するフローチャートである。
【図９】本発明の実施形態に係るアクセスキーを用いて各ユーザがリフトを使用する際の処理手順を説明するフローチャートである。
【図１０】本発明の実施形態に係るアクセスキーを用いて各ユーザが飲食店にて飲食券を使用する際の処理手順を説明するフローチャートである。
【図１１】本発明の実施形態に係るアクセスキーを用いて各ユーザがポイントカードにポイントを記録する際の処理手順を説明するフローチャートである。
【符号の説明】
【００５７】
１、２    ユーザ
３    情報管理装置
４    ゲレンデコース
５    リフト乗り場
６    飲食施設
７    通信局
８    通信会社
１０１、２０１    携帯端末
１０２、２０２    アクセスキー
３０１    操作部
３０２    ポイントカード投入口
３０３    ポイント管理部
３０４    精算部
３０５    リフト券売管理部
３０６    飲食券売管理部
３０７    現金投入・返却口
３０８    ＩＤ付与部
３０９    アクセスキー作成管理部
３１０    データベース
３１１アクセスキー投入口
３１２    ＩＤ認証部
３１３    通信部
４０１、４０２、５０１、６０１    センサ
４０３、４０４、５０２、６０２    通信機器
５０３    リフト券確認装置
６０３    レジ
【図１】
2007058405.tif 000003
【図２】
2007058405.tif 000004
【図３】
2007058405.tif 000005
【図４】
2007058405.tif 000006
【図５】
2007058405.tif 000007
【図６】
2007058405.tif 000008
【図７】
2007058405.tif 000009
【図８】
2007058405.tif 000010
【図９】
2007058405.tif 000011
【図１０】
2007058405.tif 000012
【図１１】
2007058405.tif 000013